(57)【要約】【構成】セミチューブラリベットあるいは中実リベットを用いた打ち抜きリベット締めもしくは貫通による、熱的に補助された機械的な接合のための方法において、接合薄板（１ａ，１ｂ）の局所的かつ時間的に制限された加熱が、来たるべき変形区域において電気的な抵抗加熱によって行なわれ、この場合、加熱が、押さえ付け部材（５）及びダイス（４）、あるいはこれらのそばに配置された構成要素（１０／１１，１２／１３）、又は前に配置された構成要素（１４，１５）によって行なわれ、及びこの加熱が、接合プロセスの開始によって、あるいはその直前に引き起こされ、かつ変形の開始前に遮断されている。【選択図】図１
2004516140.tif 000002
【特許請求の範囲】
【請求項１】
セミチューブラリベットあるいは中実リベットを用いた打ち抜きリベット締めもしくは貫通による、熱的に補助された機械的な接合のための方法において、接合薄板（１ａ，１ｂ）の局所的かつ時間的に制限された加熱が、来たるべき変形区域において電気的な抵抗加熱によって行なわれ、この場合、加熱が、押さえ付け部材（５）及びダイス（４）、あるいはこれらのそばに配置された構成要素（１０／１１，１２／１３）、又は前に配置された構成要素（１４，１５）によって行なわれ、及びこの加熱が、接合プロセスの開始によって、あるいはその直前に引き起こされ、かつ変形の開始前に遮断されていることを特徴とする、熱的に補助された機械的な接合のための方法。
【請求項２】
前記の加熱が、押さえ付け部材（５）とダイス（４）との間で行なわれ、この場合、この加熱が、押さえ付け部材（５）の装着によって引き起こされることを特徴とする請求項１記載の方法。
【請求項３】
前記の加熱が、押さえ付け部材（５）の周りに配置されている単数又は複数の接触シュー（１０／１１）から成る上方のリングと、ダイス（４）の周りに配置されている単数又は複数の接触シュー（１２／１３）から成る下方のリングとの間で行なわれ、この場合、この加熱が、作業行程の開始によって、あるいはその開始直前に引き起こされることを特徴とする請求項１記載の方法。
【請求項４】
前記の加熱が、第１のステーションに配設されていてかつ変形を時間的に続いて第２のステーションにおいて実施するような１つの電極（１４）と１つの電極（１５）との間で行なわれ、この場合、この加熱が、変形の開始直前に引き起こされることを特徴とする請求項１記載の方法。
【請求項５】
前記の変形区域が、３５〜２５０℃の温度で加熱されることを特徴とする請求項１から４までのいずれか１記載の方法。
【請求項６】
前記の変形区域が、約４０℃の温度で加熱されることを特徴とする請求項５記載の方法。
【請求項７】
請求項１から６までのいずれか１記載の方法を実施するための装置において、押さえ付け部材（５）及びダイス（４）、あるいはこれらのそばに配置された構成要素（１０／１１，１２／１３）、又は前に配置された構成要素（１４，１５）が、電気的な抵抗加熱のための極として構成されており、この場合、押さえ付け部材（５）、ダイス（４）、あるいは接触シュー（１０／１１，１２／１３，１４／１５）が相応する乗り上げ面（１６，１７，１８，１９，２０，２１）を備えており、その結果、接合薄板組（１ａ，１ｂ）を通って、流線（９）が、局所的に制限された形成で延びており、かつ加熱範囲が制限されていることを特徴とする、熱的に補助された機械的な接合の方法を実施するための装置。
【請求項８】
機械的な接合のための周知の装置の押さえ付け部材（５）及びダイス（４）が、電気的な抵抗加熱のための極として構成されており、この場合、前記の押さえ付け部材（５）における乗り上げ面（１６）が傾斜面を備えており、かつ前記のダイス（４）における乗り上げ面（１７）がリング状の隆起部を有しており、その結果、接合薄板組（１ａ，１ｂ）を通って、加熱範囲を制限する流線（９）が、局所的に制限された形成で延びていることを特徴とする請求項７記載の、方法を実施するための装置。
【請求項９】
押さえ付け部材（５）の周りに配置されている単数又は複数の接触シュー（１０／１１）から成る上方のリングと、ダイス（４）の周りに配置されている単数又は複数の接触シュー（１２／１３）から成る下方のリングとが設けられており、この場合、前記の接触シュー（１０，１２）の乗り上げ面（１８，１９）は、接合薄板組（１ａ，１ｂ）を通って加熱範囲を制限する流線（９）が局所的に制限された形成で延びているように、構成されていることを特徴とする請求項７記載の、方法を実施するための装置。
【請求項１０】
前記の１つの電極（１４）及び１つの電極（１５）が、接合薄板組（１ａ，１ｂ）を加熱するための第１のステーションに設けられており、この場合、電極（１４，１５）の乗り上げ面（２０，２１）は、接合薄板組（１ａ，１ｂ）を通って加熱範囲を制限する流線（９）が局所的に制限された形成で延びているように、構成されており、さらに、変形を実施するための装置が、第２のステーションの形で第１のステーションの後方に配置されていることを特徴とする請求項７記載の、方法を実施するための装置。
【請求項１１】
前記の押さえ付け部材（５）における傾斜された乗り上げ面（１６）が、１°〜１０°の角度αを有していることを特徴とする請求項７記載の装置。
【請求項１２】
前記の押さえ付け部材（５）及びダイス（４）、あるいは接触シュー（１０／１１，１２／１３）から成るリング、あるいは電極（１４，１５）の周りに、それぞれ１つの冷却部材（６，７）が設けられていることを特徴とする請求項７から１１までのいずれか１記載の装置。
【請求項１３】
前記の冷却部材（６，７）が空気冷却リブ（８）を備えていることを特徴とする請求項１２記載の装置。
【請求項１４】
電気的な抵抗加熱が、脈動されて行なわれることを特徴とする請求項７から１３までのいずれか１記載の装置。
【請求項１５】
加熱の持続が、数ミリ秒に制限されていることを特徴とする請求項７から１４までのいずれか１記載の装置。
【発明の詳細な説明】
【０００１】
本発明は、請求の範囲第１項の上位概念に記載された、熱的に補助された機械的な接合のための方法に関する。さらに、本発明は、請求の範囲第７項の上位概念に記載された、方法を実施するための装置に関する。
【０００２】
薄板を結合するために、例えば抵抗点溶接が知られている。このような方法において、薄板は局所的に制限されて融解され、かつ融解区域において互いに結合される。融解区域において生ぜしめられる接合部変化のために、薄板は、このような範囲においてわずかに機械的に負荷される。
【０００３】
機械的な接合のために、以下のような別の方法が周知である：
−貫通
−セミチューブラリベットを用いた打ち抜きリベット締め
−中実リベットを用いた打ち抜きリベット締め
【０００４】
機械的な結合部の製造は、室温において実施される。このような方法における欠点は、機械的な接合プロセスが、結合部区域において部分的に極端な冷却硬化を導くことである。相応する装置は、工具と同様に、高い力を出すように設計されなければならない。セミチューブラリベット及び中実リベットのような補助接合部材は、破壊されるまで不都合に変形される。それ故に、超硬の薄板の使用は極めて制限されている。
【０００５】
本発明の課題は、セミチューブラリベットあるいは中実リベットを用いた打ち抜きリベット締めの場合に、もしくは超硬の材料のエッチング加工材を貫通する場合に、オーステナイト系特殊鋼におけるような極端な硬度の場合にも可能であるような方法並びに装置を提供することにある。
【０００６】
前述の課題は、本発明によれば請求の範囲第１項に記載された特徴を有する方法によって解決される。さらに、前記課題は、請求の範囲第７項に記載された特徴を有する装置によって解決される。改良及び実施例は、従属形式の請求の範囲に記載されている。
【０００７】
本発明の要旨は、接合薄板の局所的かつ時間的に制限された加熱が、来たるべき変形区域において電気的な抵抗加熱によって行なわれ、この場合、加熱が、押さえ付け部材及びダイス、あるいはこれらのそばに配置された構成要素、又は前に配置された構成要素によって行なわれ、及びこの加熱が、開始によって、あるいはその直前に引き起こされ、かつ変形区域における変形の開始前に遮断されているというものである。
【０００８】
方法の第１の変化実施態様において、有利には、加熱が、押さえ付け部材とダイスとの間で直接的に行なわれ、この場合、この加熱は、作業行程の開始によって引き起こされる。このため、押さえ付け部材は、傾斜された乗り上げ面を備えていて、かつダイスはリングを備えている。
【０００９】
有利な第２の方法変化実施態様においては、加熱が、押さえ付け部材の周りに配置されている単数又は複数の接触シューから成る上方のリングと、ダイスの周りに配置されている単数又は複数の接触シューから成る下方のリングとの間で行なわれ、この場合、この加熱は、作業行程の開始によって引き起こされる。
【００１０】
第３の有利な方法変化実施態様においては、加熱が、第１のステーションに配設されていてかつ変形を時間的に続いて第２のステーションにおいて実施するような第１の電極と第２の電極との間で行なわれ、この場合、この加熱は、変形の開始直前に引き起こされる。
【００１１】
最初に工具あるいは補助接合部材が加熱によって関係されるのではなく、加熱は、接合しようとする部材において、変形度が最大になる範囲に達している。この場合、加熱は、変形の開始前に遮断されており、かつ作業行程のスタートの後か、あるいは変形の前にあるステーションの作業行程の直前に始まる。このために、加熱は良好に制御されることができ、かつエネルギー損失は最小に限定される。
【００１２】
変形の後に、接合個所の冷却が直ぐに始まる。このことは、最小の熱量がもたらされることによって達成され、かつ押さえ付け部材行程／加熱／変形の正確な時間的な調和が行なわれる。
【００１３】
方法を実施するために、押さえ付け部材及びダイス、あるいはこれらのそばに配置された構成要素、又は前に配置された構成要素が、電気的な抵抗加熱のための極として構成されており、この場合、押さえ付け部材、ダイス、接触シューが相応する乗り上げ面を備えており、その結果、接合薄板組を通って、加熱範囲を制限する流線が、局所的に制限された形成で延びている。
【００１４】
第１の装置においては、押さえ付け部材が傾斜面を備えており、かつダイスがリング状の隆起部を有している。
【００１５】
第２の装置においては、押さえ付け部材の周りに配置されている単数又は複数の接触シューから成る上方のリングと、ダイスの周りに配置されている単数又は複数の接触シューから成る下方のリングとが設けられており、この場合、前記の接触シューの乗り上げ面は、押さえ付け部材及びダイスの極めて近くに配置されており、かつこれによって加熱範囲は制限されている。
【００１６】
第３の装置においては、接合薄板組の加熱のための電極が、変形のためのステーションの前にあるステーションに設けられている。
【００１７】
本発明の利点は、セミチューブラリベットあるいは中実リベットを用いた周知の打ち抜きリベット締めもしくは貫通が、超硬の材料を使用する場合にも、極端な硬度を有する場合にも、実施されることができることであり、この場合、接合個所の品質は、接合中の補助接合部材もしくは基礎材料の超過応力によって損なわれることはない。接合個所における冷却によって、接合点における半径方向のプレストレスが結合部の強度を高める。
【００１８】
以下に、本発明を方法及び装置のための実施例において詳しく説明する。
【００１９】
図１のａ〜ｅには、中実リベットを用いた打ち抜きリベット締めの実施例における機械的な接合の複数の段階が示されている。図示する際に、本発明による装置が関係づけられている。ダイス４の上に、接合薄板１ａ及び１ｂが位置している。図１のａにおいて、押さえ付け部材５が装着されている。押さえ付け部材５は、ダイス４から電気的に接続を外されている。両方の接合薄板は、電気的な抵抗加熱のための極を形成する。押さえ付け部材５を、ポンチ側の薄板１ａの上に載着することによって、及び場合によっては、薄板１ａを、押さえ付け部材５の傾斜する端面によって押し込むことによって、電気的なパルスによって加熱が始まる。押さえ付け部材５における傾斜面は、電流の流れひいては所望の加熱が、後の変形区域に−要するに中実リベット２の外径の範囲に−位置するような形式で、押さえ付け部材５とポンチ側の薄板１ａとの間の接触抵抗の減少を可能にする。
【００２０】
図１のｂには、加熱段階が示されている。ポンチ３及び中実リベット２の送り動作中に、局所的な加熱が実現される。
【００２１】
図１のｃに相応して、中実リベット２を薄板１ａの上に載着することによって加熱は終了されており、かつ変形動作が開始されている。電気的な抵抗加熱の制御は、時限素子あるいはセンサーを介して実現される。
【００２２】
図１のｄに相応して、変形動作は終了されており、かつ局所的に加えられる熱量は、迅速に薄板１ａ及び１ｂに分配されることができる。
【００２３】
図１のｅによると、押さえ付け部材５、ポンチ３及び冷却部材６は、上死点に存在している。工具の冷却は、好ましくは銅から製造されている冷却部材６，７の配列によって実現される。
【００２４】
図２には、本発明による装置が示されており、この装置においては流線９の経過が示されている。この装置によって、極として切り換えられる工具と、押さえ付け部材５とダイス４との間の、乗り上げ面１６，１７を介する加熱は、流線９の経過によって明らかなように、最も狭いスペースに限定される。
【００２５】
図３は、押さえ付け部材５の周りに配置されている付属の冷却部材６を示している。冷却部材６は、外側縁に空気冷却リブ８を備えており、かつ高い行程数の場合には水冷されることもできる。
【００２６】
図４は、本発明による別の装置を示しており、この装置においては、接触シュー１０，１１から成るリングが押さえ付け部材５の周りに配置されており、かつ接触シュー１２，１３から成るリングがダイス４の周りに配置されている。接触シュー１０，１２の乗り上げ面１８，１９は、押さえ付け部材５及びダイス４の極めて近くに配置されており、かつこれによって薄板１ａ，１ｂにおける加熱範囲が制限される。
【００２７】
最後に図５に示されている本発明による装置においては、接合薄板組１ａ，１ｂを加熱するための電極１４，１５が、変形ステーションの前にあるステーションに設けられている。狭い乗り上げ面２０，２１は、制限された加熱範囲を保証する。
【図面の簡単な説明】
【図１】
ａ〜ｅにおいて、中実リベット打ち抜きリベット締めの実施例における機械的な接合の複数の段階を示す図である。
【図２】
接合薄板を有する本発明による装置を補助接合部材なしに概略的に示す図である。
【図３】
図２に所属する冷却部材の図である。
【図４】
押さえ付け部材及びダイスの周りにそれぞれ１つの接触シューを有する本発明による装置を示す図である。
【図５】
第１のステーションにおいて加熱のための電極を有する、及び第２のステーションにおいて接合装置を有する本発明による装置を示す図である。
【符号の説明】
１ａ  ポンチ側の薄板
１ｂ  ダイス側の薄板
２  中実リベット
３  ポンチ
４  ダイス
５  押さえ付け部材
６  冷却部材／押さえ付け部材
７  冷却部材／ダイス
８  空気冷却リブ
９  流線
１０  上方の接触シュー
１１  上方の接触シュー
１２  下方の接触シュー
１３  下方の接触シュー
１４  上方の電極
１５  下方の電極
１６  押さえ付け部材における乗り上げ面
１７  ダイスにおける乗り上げ面
１８  接触シューにおける乗り上げ面
１９  接触シューにおける乗り上げ面
２０  １つの電極における乗り上げ面
２１  １つの電極における乗り上げ面
α  押さえ付け部材の乗り上げ面の角度
【国際公開パンフレット】
2004516140.tif 000003
2004516140.tif 000004
2004516140.tif 000005
2004516140.tif 000006
2004516140.tif 000007
2004516140.tif 000008
2004516140.tif 000009
2004516140.tif 000010
2004516140.tif 000011
2004516140.tif 000012
2004516140.tif 000013
2004516140.tif 000014
2004516140.tif 000015
2004516140.tif 000016
2004516140.tif 000017
【国際公開パンフレット（コレクトバージョン）】
2004516140.tif 000018
2004516140.tif 000019
【手続補正書】
【提出日】平成12年1月28日(2000.1.28)
【手続補正１】
【補正対象書類名】明細書
【補正対象項目名】特許請求の範囲
【補正方法】変更
【補正の内容】
【特許請求の範囲】
【請求項１】
ポンチ、押さえ付け部材、及びダイスから成る接合工具を用いて、セミチューブラリベットあるいは中実リベットを用いた打ち抜きリベット締めによる接合によって、あるいは補助接合部材なしの貫通接合によって、標準温度の場合に極端に高い変形強度を有する材料の、重ねて配置された接合薄板を結合するための方法において、接合薄板（１ａ，１ｂ）の局所的かつ時間的に制限された加熱が、来たるべき変形区域において行なわれ、この場合、加熱が、押さえ付け部材（５）及びダイス（４）、あるいはこれらのそばに配置された構成要素（１４，１５）、又は前に配置された構成要素（１０／１１，１２／１３）によって行なわれ、及びこの加熱が、開始によって、あるいはその直前に引き起こされ、かつ変形区域における変形の開始前に遮断されていることを特徴とする、重ねられて配置された接合薄板を結合するための方法。
【請求項２】
前記の加熱が、押さえ付け部材（５）とダイス（４）との間で電気的な抵抗加熱によって行なわれ、この場合、この加熱が、作業行程の開始によって引き起こされることを特徴とする請求項１記載の方法。
【請求項３】
前記の加熱が、押さえ付け部材（５）の周りに配置されている単数又は複数の接触シュー（１０／１１）から成る上方のリングと、ダイス（４）の周りに配置されている単数又は複数の接触シュー（１２／１３）から成る下方のリングとの間で電気的な抵抗加熱によって行なわれ、この場合、この加熱が、作業行程の開始によって引き起こされることを特徴とする請求項１記載の方法。
【請求項４】
前記の加熱が、第１のステーションに配設されていてかつ変形を時間的に続いて第２のステーションにおいて実施するような１つの電極（１４）と１つの電極（１５）との間で電気的な抵抗加熱によって行なわれ、この場合、この加熱が、変形の開始直前に引き起こされることを特徴とする請求項１記載の方法。
【請求項５】
前記の変形区域が、３５〜７０℃の温度で加熱されることを特徴とする請求項１から４までのいずれか１記載の方法。
【請求項６】
前記の変形区域が、約４０℃の温度で加熱されることを特徴とする請求項４記載の方法。
【請求項７】
請求項１から６までのいずれか１記載の方法を実施するための装置において、押さえ付け部材（５）及びダイス（４）、あるいはこれらのそばに配置された構成要素（１４，１５）、又は前に配置された構成要素（１０／１１，１２／１３）が、電気的な抵抗加熱のための極として構成されており、この場合、押さえ付け部材（５）、ダイス（４）、あるいは接触シュー（１０／１１，１２／１３）が相応する乗り上げ面（１６，１７，１８，１９）を備えており、その結果、接合薄板組（１ａ，１ｂ）を通って、流線（９）が、局所的に制限された形成で延びており、かつ加熱範囲が制限されていることを特徴とする、熱的に補助された機械的な接合の方法を実施するための装置。
【請求項８】
機械的な接合のための装置の押さえ付け部材（５）及びダイス（４）が、電気的な抵抗加熱のための極として構成されており、この場合、前記押さえ付け部材（５）における乗り上げ面（１６）及び前記ダイス（４）における乗り上げ面（１７）は、接合薄板組（１ａ，１ｂ）を通って加熱範囲を制限する流線（９）が局所的に制限された形成で延びているように、リング状の隆起部を有していることを特徴とする請求項７記載の装置。
【請求項９】
押さえ付け部材（５）の周りに配置されている単数又は複数の接触シュー（１０／１１）から成る上方のリングと、ダイス（４）の周りに配置されている単数又は複数の接触シュー（１２／１３）から成る下方のリングとが設けられており、この場合、前記の接触シュー（１０／１１、１２／１３）の乗り上げ面は、接合薄板組（１ａ，１ｂ）を通って加熱範囲を制限する流線（９）が局所的に制限された形成で延びているように、構成されていることを特徴とする請求項７記載の装置。
【請求項１０】
前記の１つの電極（１４）及び１つの電極（１５）が、接合薄板組（１ａ，１ｂ）を加熱するための第１のステーションに設けられており、この場合、電極（１４，１５）の乗り上げ面は、接合薄板組（１ａ，１ｂ）を通って加熱範囲を制限する流線（９）が局所的に制限された形成で延びているように、構成されており、さらに、変形を実施するための装置が、第２のステーションの形で第１のステーションの後方に配置されていることを特徴とする請求項７記載の装置。
【請求項１１】
前記の押さえ付け部材（５）における乗り上げ面（１６）が傾斜面を備えていることを特徴とする請求項８記載の装置。
【請求項１２】
前記の押さえ付け部材（５）における傾斜された乗り上げ面（１６）が、２°〜１０°の角度αを有していることを特徴とする請求項１１記載の装置。
【請求項１３】
前記の押さえ付け部材（５）及びダイス（４）、接触シュー（１０／１１，１２／１３）から成るリング、あるいは電極（１４，１５）の周りに、それぞれ１つの冷却部材（６）が設けられていることを特徴とする請求項７から１２までのいずれか１記載の装置。
【請求項１４】
前記の冷却部材（６）が空気冷却リブ（８）を備えていることを特徴とする請求項１３記載の装置。
【請求項１５】
電気的な抵抗加熱が、脈動されて行なわれることを特徴とする請求項７から１４までのいずれか１記載の装置。
【請求項１６】
加熱の持続が、数ミリ秒に制限されていることを特徴とする請求項７から１５までのいずれか１記載の装置。
【国際調査報告】
2004516140.tif 000020
2004516140.tif 000021
2004516140.tif 000022
2004516140.tif 000023